(57)【特許請求の範囲】
【請求項１】
搬送始端位置から搬送終端位置に物品を搬送するコンベヤ本体と、そのコンベヤ本体にて搬送される物品の荷崩れを検出する荷崩れ検出手段とを備えたコンベヤ装置であって、
前記荷崩れ検出手段として、前記搬送始端位置に位置する物品に対して前記コンベヤ本体による搬送方向の前端側の荷崩れを検出する前端側荷崩れセンサと、前記搬送終端位置に位置する物品に対して前記搬送方向の後端側の荷崩れを検出する前端側荷崩れセンサとは別の後端側荷崩れセンサとが備えられ、
前記前端側荷崩れセンサと前記後端側荷崩れセンサとが、前記コンベヤ本体の搬送方向で異なる位置に設けられているコンベヤ装置。
【請求項２】
前記前端側荷崩れセンサ及び前記後端側荷崩れセンサが、前記コンベヤ本体の横幅方向に沿って検出用光を投光する投光部及びその投光部にて投光された検出用光を受光する受光部を備えた投受光式のセンサであり、前記前端側荷崩れセンサの前記投光部及び前記受光部を支持する一対の支持部と前記後端側荷崩れセンサの前記投光部及び前記受光部を支持する一対の支持部とが、前記コンベヤ本体の横幅方向の両端部の夫々に設置された一対のセンサ設置用支持部にて構成されている請求項１に記載のコンベヤ装置。
【請求項３】
前記物品の高さが設定高さよりも高いか否かを検出する高さ検出センサが備えられ、前記高さ検出センサが、前記センサ設置用支持部に支持されている請求項２に記載のコンベヤ装置。
【請求項４】
前記コンベヤ本体は、物品収納棚及びその物品収納棚と物品授受部との間で物品を搬送する物品搬送装置を備えた自動倉庫への物品の搬入部を前記搬送始端位置とし且つ前記物品搬送装置の前記物品授受部を前記搬送終端位置として配置されている請求項１〜３の何れか１項に記載のコンベヤ装置。
【請求項５】
前記搬送方向での前記前端側荷崩れセンサと前記後端側荷崩れセンサとの設置間隔は、前記搬送方向での前記物品の全長よりも小さく設定されている請求項１〜４の何れか１項に記載のコンベヤ装置。
【発明の詳細な説明】
【技術分野】
【０００１】
本発明は、搬送始端位置から搬送終端位置に物品を搬送するコンベヤ本体と、そのコンベヤ本体にて搬送される物品の荷崩れを検出する荷崩れ検出手段とを備えたコンベヤ装置に関する。
【背景技術】
【０００２】
従来のコンベヤ装置では、例えば、パレット上に複数の単位物品が段積みされたものを搬送対象の物品として搬送しており、その物品が搬送方向の前端側及び後端側に荷崩れしていないか否かを検出するために荷崩れ検出手段が備えられている。そして、搬送始端位置と搬送終端位置との間の検知位置に物品が到達したことを検知するパレット検知器が備えられ、荷崩れ検出手段として、検知位置に位置する物品に対して、搬送方向の前端側の荷崩れを検出する前端側荷崩れ検出センサと搬送方向の後端側の荷崩れを検出する後端側荷崩れ検出手段とが備えられている。パレット検知器にて検知位置に物品が到達したときの前端側荷崩れセンサの検出情報により搬送方向の前端側に荷崩れが生じているか否かを判別するとともに、パレット検知器にて検知位置に物品が到達したときの後端側荷崩れセンサの検出情報により搬送方向の後端側に荷崩れが生じているか否かを判別している（例えば、特許文献１参照。）。
【先行技術文献】
【特許文献】
【０００３】
【特許文献１】実公平６−４３０５６号公報
【発明の概要】
【発明が解決しようとする課題】
【０００４】
上記特許文献１に記載の装置では、検知位置に物品が到達したことを検知するために、パレット検知器を設けており、荷崩れ検出手段に加えて、パレット検知器を設けなければならず、構成の複雑化及びコストアップを招いていた。また、上記特許文献１に記載の装置では、荷崩れ検出を行なうために、パレット検知器と前端側荷崩れセンサと後端側荷崩れセンサとの３つのセンサの相対位置が所望の相対位置となるように設置する必要がある。つまり、荷崩れを生じていない物品に対して、その物品が検知位置に到達したことをパレット検知器にて検知したときに、前端側荷崩れセンサをその物品よりもやや前方側に設置することが必要であり、しかも、後端側荷崩れセンサをその物品よりもやや後方側に設置することが必要である。このように、パレット検知器と前端側荷崩れセンサと後端側荷崩れセンサとの３つのセンサの相対位置を調整した上で、パレット検知器、前端側荷崩れセンサ、後端側荷崩れセンサを設置しなければならず、構成の複雑化を招くとともに、設置作業の煩雑化を招くものとなっていた。
【０００５】
本発明は、かかる点に着目してなされたものであり、その目的は、構成の簡素化及びコストの低減を図りながら、しかも、センサの設置作業の簡素化を図ることができ、物品の荷崩れを的確に検出することができるコンベヤ装置を提供する点にある。
【課題を解決するための手段】
【０００６】
この目的を達成するために、本発明に係るコンベヤ装置の第１特徴構成は、搬送始端位置から搬送終端位置に物品を搬送するコンベヤ本体と、そのコンベヤ本体にて搬送される物品の荷崩れを検出する荷崩れ検出手段とを備えたコンベヤ装置において、
前記荷崩れ検出手段として、前記搬送始端位置に位置する物品に対して前記コンベヤ本体による搬送方向の前端側の荷崩れを検出する前端側荷崩れセンサと、前記搬送終端位置
に位置する物品に対して前記搬送方向の後端側の荷崩れを検出する前端側荷崩れセンサとは別の後端側荷崩れセンサとが備えられ、前記前端側荷崩れセンサと前記後端側荷崩れセンサとが、前記コンベヤ本体の搬送方向で異なる位置に設けられている点にある。
【０００７】
本特徴構成によれば、例えば作業者が搬送始端位置に物品を位置させることで、前端側荷崩れセンサにてその物品の搬送方向の前端側の荷崩れを検出することができる。また、コンベヤ本体により搬送始端位置から搬送終端位置に物品を搬送することで、後端側荷崩れセンサにてその物品の搬送方向の後端側の荷崩れを検出することができる。ここで、物品を搬送終端位置に搬送したことを検出するために、コンベヤ本体には予め在荷センサ等の投受光式或いは接触式のセンサが備えられており、このセンサの検出情報からコンベヤ本体にて物品が搬送終端位置に搬送されたことを検出することができる。したがって、物品の荷崩れを検出するために、コンベヤ本体にて搬送される物品の位置を検出する検出器を設けなくても、物品の荷崩れを検出することができる。
【０００８】
また、前端側荷崩れセンサにてコンベヤ装置により搬送する前の荷崩れを検出することができ、後端側荷崩れセンサにてコンベヤ装置により搬送した後の荷崩れを検出することができ、例えば、コンベヤ装置にて搬送する前の一時に荷崩れを検出するものと比べて、物品の荷崩れを的確に検出することができる。
【０００９】
そして、前端側荷崩れセンサは、単に、搬送始端位置に対応して設置すればよく、後端側荷崩れセンサについても、単に、搬送終端位置に対応して設置すればよく、上記特許文献１に記載の装置の如く、パレット検知器と前端側荷崩れセンサと後端側荷崩れセンサとの３つのセンサの相対位置を調整するという複雑な調整作業を必要とせずに、前端側荷崩れセンサ及び後端側荷崩れセンサの夫々の設置作業を行うことができる。
【００１０】
以上のことから、構成の簡素化及びコストの低減を図りながら、しかも、センサの設置作業の簡素化を図ることができ、物品の荷崩れを的確に検出することができるコンベヤ装置を実現できる。
【００１１】
本発明に係るコンベヤ装置の第２特徴構成は、前記前端側荷崩れセンサ及び前記後端側荷崩れセンサが、前記コンベヤ本体の横幅方向に沿って検出用光を投光する投光部及びその投光部にて投光された検出用光を受光する受光部を備えた投受光式のセンサであり、前記前端側荷崩れセンサの前記投光部及び前記受光部を支持する一対の支持部と前記後端側荷崩れセンサの前記投光部及び前記受光部を支持する一対の支持部とが、前記コンベヤ本体の横幅方向の両端部の夫々に設置された一対のセンサ設置用支持部にて構成されている点にある。
【００１２】
本特徴構成によれば、前端側荷崩れセンサ及び後端側荷崩れセンサにおける投光部及び受光部を支持するための一対の支持部を共通の一対のセンサ設置用支持部にて構成することができる。よって、センサを支持するための構成の簡素化を図ることができるとともに、コストの低減を図ることができる。
【００１３】
本発明に係るコンベヤ装置の第３特徴構成は、前記物品の高さが設定高さよりも高いか否かを検出する高さ検出センサが備えられ、前記高さ検出センサが、前記センサ設置用支持部に支持されている点にある。
【００１４】
例えば、コンベヤが自動倉庫に搬入する物品を搬送するものであれば、物品の高さが設定高さよりも高いと自動倉庫に収納できない等の不都合を生じる可能性があることから、コンベヤにて搬送する際に物品の高さが設定高さよりも高いか否かを検出することが求められる。そこで、本特徴構成によれば、コンベヤ装置に高さ検出センサを備えることにより、その要求に応えることができる。しかも、高さ検出センサを支持するための支持部を、前端側荷崩れセンサ及び後端側荷崩れセンサを支持するためのセンサ設置用支持部を用いているので、構成の簡素化及びコストの低減を図ることができる。
【００１５】
本発明に係るコンベヤ装置の第４特徴構成は、前記コンベヤ本体は、物品収納棚及びその物品収納棚と物品授受部との間で物品を搬送する物品搬送装置を備えた自動倉庫への物品の搬入部を前記搬送始端位置とし且つ前記物品搬送装置の前記物品授受部を前記搬送終端位置として配置されている点にある。
【００１６】
本特徴構成によれば、自動倉庫に物品を搬入する場合に、搬入部に搬入された物品を物品授受部に搬送するコンベヤ装置として設けられている。そして、物品搬送装置にて物品を搬送するとき等に、物品の荷崩れが生じていると物品の落下等の不都合を生じる可能性があるが、上記第１特徴構成で述べた如く、コンベヤ装置にて搬送する際に物品の荷崩れの有無を検出しておくことができるので、上述のような不都合の発生を防止することができる。
【００１７】
本発明に係るコンベヤ装置の第５特徴構成は、前記搬送方向での前記前端側荷崩れセンサと前記後端側荷崩れセンサとの設置間隔は、前記搬送方向での前記物品の全長よりも小さく設定されている点にある。
【００１８】
本特徴構成によれば、搬送方向での前端側荷崩れセンサと後端側荷崩れセンサとの設置間隔を搬送方向での物品の全長よりも小さくすることで、コンベヤの搬送方向の長さを極力短くすることができ、装置のコンパクト化を図ることができる。
【図面の簡単な説明】
【００１９】
【図１】倉庫設備の概略構成の平面図において搬入部に物品が搬入された状態を示す図
【図２】コンベヤの斜視図において搬入部に物品が搬入された状態を示す図
【図３】倉庫設備の概略構成の平面図において物品授受部に物品が搬送された状態を示す図
【図４】コンベヤの斜視図において物品授受部に物品が搬送された状態を示す図
【発明を実施するための形態】
【００２０】
本発明に係るコンベヤ装置を適応した倉庫設備の実施形態を図面に基づいて説明する。
この倉庫設備は、図１及び図２に示すように、物品収納棚１及び物品収納棚１と物品授受部２との間で物品Ｂを搬送するスタッカークレーン３を備えた自動倉庫４と、自動倉庫４に対する物品Ｂの搬入部５を搬送始端位置Ｈ１とし且つスタッカークレーン３の物品授受部２を搬送終端位置Ｈ２として搬送始端位置Ｈ１から搬送終端位置Ｈ２に物品Ｂを搬送するコンベヤ６（本発明に係るコンベヤ装置）と、自動倉庫４及びコンベヤ６の運転を制御する運転制御装置（図示省略）とが備えられている。図１は倉庫設備の要部の平面図であり、図２は倉庫設備の要部の斜視図であり、いずれも搬入部５に物品Ｂが搬入された状態を示したものである。また、図３及び図４は、物品授受部２に物品Ｂが搬送された状態を示したものである。
【００２１】
物品Ｂについては、パレットＰに複数の単位物品Ｂ１が段積みされたものを物品Ｂとして構成されている。自動倉庫４に物品Ｂを搬入する場合には、図１及び図２に示すように、作業者がフォークリフト等を用いて搬入部５に物品Ｂが搬入されると、運転制御装置は、図３及び図４に示すように、コンベヤ６を作動させて、搬入部５から物品授受部２に物品Ｂを搬送する。そして、コンベヤ６により物品Ｂを物品授受部２に搬送すると、運転制御装置は、スタッカークレーン３を作動させて、物品授受部２から物品Ｂを受け取り、その受け取った物品Ｂを物品収納棚１における複数の収納部１０の何れかに収納している。
【００２２】
コンベヤ６は、搬入部５から物品授受部２に物品Ｂを搬送するが、搬送方向を逆転させることにより、物品授受部２から搬入部５に物品Ｂを搬送可能に構成されている。これにより、１つのコンベヤ６を用いて物品Ｂの搬入及び搬出を行うことができ、搬入部５が自動倉庫４からの物品Ｂを搬出する搬出部を兼用するように構成することもできる。このように構成したときには、自動倉庫４から物品Ｂを搬出する場合に、運転制御装置が、物品収納棚１に収納されている物品Ｂについて搬出すべき搬出要求があると、スタッカークレーン３を作動させて、その物品Ｂを収納部１０から取り出して物品授受部２に搬送する。そして、スタッカークレーン３により物品授受部２に物品Ｂを搬送させると、運転制御装置は、コンベヤ６を作動させて、物品授受部２から搬入部５（搬出部）に物品Ｂを搬送する。このようにして、作業者がフォークリフト等を用いて搬入部５（搬出部）に搬送された物品Ｂを所望の搬出箇所に移動させる。
【００２３】
物品収納棚１は、物品Ｂの出し入れ側が対向するように棚前後方向に間隔を隔てて一対設けられており、一対の物品収納棚１の間には、スタッカークレーン３の走行レール７が物品収納棚１の棚横幅方向の全長に亘って配置されている。一対の物品収納棚３の夫々は、前後一対の支柱８が棚横幅方向に間隔を隔てて複数立設され、前後一対の支柱の夫々には、載置支持部９が上下方向に間隔を隔てて複数設けられている。物品収納棚１における収納部１０は、左右一対の載置支持部９にて物品Ｂを載置支持する形態で物品Ｂを収納するように構成されており、上下方向及び左右方向（棚横幅方向）に複数並ぶように備えられている。
【００２４】
スタッカークレーン３は、走行レール７に沿って走行自在な走行台車１１と、その走行台車１１に立設された前後一対の昇降案内マスト１２に沿って昇降自在な昇降台１３と、昇降台１３に備えられた物品移載装置１４とから構成されている。物品移載装置１４は、詳述はしないが、物品Ｂを載置支持自在なフォークを昇降台１３側に引退する引退位置と収納部１０側及び物品授受部２側に突出する突出位置とに出退自在に備えたフォーク式の物品移載装置にて構成されている。
【００２５】
物品収納棚１とスタッカークレーン３とを備えた自動倉庫４には、物品収納棚１及びスタッカークレーン３の周囲を囲む柵状の侵入防止体１５が備えられており、侵入防止体１５にて囲まれた内部空間に物品収納棚１及びスタッカークレーン３が設置されている。そして、コンベヤ６は、侵入防止体１５のうち内部空間と外部空間とを連通する部位に配置されており、コンベヤ６の横幅方向の両側に侵入防止体１５が設置されている。これにより、侵入防止体１５の内部への侵入は、コンベヤ６にて搬送される物品が占有する領域及びその周辺のみとされている。そして、コンベヤ６は、侵入防止体１５の外側である位置を搬送始端位置Ｈ１とし且つ侵入防止体１５の内側である位置を搬送終端位置Ｈ２として配置されている。
【００２６】
ここで、コンベヤ６の搬送終端位置Ｈ２となる物品授受部２は、物品収納棚１と棚横幅方向（図１中左右方向）に並ぶように設けられている。これにより、棚横幅方向において物品授受部２の両側に物品収納棚１の収納部１０が備えられている。そして、物品授受部２の上方側にも、収納部１０が備えられている。また、コンベヤ６の搬送方向とスタッカークレーン３の物品移載方向は、棚前後方向の同一方向となっており、コンベヤ６にて物品授受部２に搬送された物品Ｂに対して、その物品Ｂの向き等を変更することなく、そのままスタッカークレーン３が受け取り可能に構成されている。
【００２７】
コンベヤ６は、物品Ｂの横幅方向の両端部を載置支持して搬送する載置搬送式の一対のコンベヤ本体１６を備えたチェーンコンベヤにて構成されている。そして、コンベヤ６は、搬入部５を搬送始端位置Ｈ１とし且つ物品授受部２を搬送終端位置Ｈ２として搬送始端位置Ｈ１から搬送終端位置Ｈ２に物品Ｂを載置搬送するように構成されている。
【００２８】
コンベヤ６には、搬送始端位置Ｈ１に位置する物品Ｂに対してコンベヤ６による搬送方向の前端側の荷崩れを検出する前端側荷崩れセンサ１７と、搬送終端位置Ｈ２に位置する物品Ｂに対して搬送方向の後端側の荷崩れを検出する前端側荷崩れセンサ１７とは別の後端側荷崩れセンサ１８とが備えられている。そして、搬送方向での前端側荷崩れセンサ１７と後端側荷崩れセンサ１８との設置間隔は、搬送方向での物品Ｂの全長よりも小さく設定されており、コンベヤ６の搬送方向の長さを極力短くして、コンパクトな設備となるようにしている。
【００２９】
前端側荷崩れセンサ１７が、コンベヤ本体１６の横幅方向に沿って検出用光を投光する前端側投光部１７ａ及びその前端側投光部１７ａにて投光された検出用光を受光する前端側受光部１７ｂを備えた投受光式のセンサにて構成されている。また、後端側荷崩れセンサ１８が、コンベヤ本体１６の横幅方向に沿って検出用光を投光する後端側投光部１８ａ及びその後端側投光部１８ａにて投光された検出用光を受光する後端側受光部１８ｂを備えた投受光式のセンサにて構成されている。前端側荷崩れセンサ１７及び後端側荷崩れセンサ１８の双方は、受光部１７ｂ，１８ｂにて投光部１７ａ，１８ａからの検出用光を受光しない場合に、荷崩れしている物品Ｂにて遮光されているとして、物品Ｂの荷崩れを検出している。
【００３０】
図２及び図４に示すように、前端側投光部１７ａ及び前端側受光部１７ｂは、上下方向に間隔を隔てて複数（例えば２つ）設けられており、後端側投光部１８ａ及び後端側受光部１８ｂも、上下方向に間隔を隔てて複数（例えば２つ）設けられている。そして、前端側投光部１７ａと前端側受光部１７ｂを支持する一対の支持部と、後端側投光部１８ａと後端側受光部１８ｂを支持する一対の支持部とが、コンベヤ本体１６の横幅方向の両端部の夫々に設置された一対のセンサ設置用支持部１９にて構成されている。一対のセンサ設置用支持部１９は、上下方向に延びる棒状に形成されており、コンベヤ本体１６の搬送方向の上流側に延びる第１水平支持部２０ａ及びコンベヤ本体１６の搬送方向の下流側に延びる第２水平支持部２０ｂがセンサ設置用支持部１９に備えられている。そして、第１水平支持部２０ａの先端部に前端側投光部１７ａ及び前端側受光部１７ｂが設置されており、第２水平支持部２０ｂの先端部に前端側投光部１７ａ及び前端側受光部１７ｂが設置されている。
【００３１】
コンベヤ６には、前端側荷崩れセンサ１７及び後端側荷崩れセンサ１８に加えて、物品Ｂの高さが設定高さよりも高いか否かを検出する高さ検出センサが備えられている。高さ検出センサも、前端側荷崩れセンサ１７及び後端側荷崩れセンサ１８と同様に、コンベヤ本体１６の横幅方向に沿って検出用光を投光する高さ用投光部２１ａ及びその高さ用投光部２１ａにて投光された検出用光を受光する高さ用受光部２１ｂを備えた投受光式のセンサにて構成されている。高さ検出センサは、高さ用受光部２１ｂにて高さ用投光部２１ａからの検出用光を受光しない場合に、設定高さよりも高い物品Ｂにて遮光されているとして、物品Ｂの高さが設定高さよりも高いと検出している。
【００３２】
一対のセンサ設置用支持部１９の夫々には、上述の如く、前端側荷崩れセンサ１７及び後端側荷崩れセンサ１８を支持するための複数の第１水平支持部２０ａ及び第２水平支持部２０ｂが設けられているが、第１水平支持部２０ａ及び第２水平支持部２０ｂよりも上方側にコンベヤ本体１６の搬送方向の上流側及び下流側に延びる高さ用水平支持部２２が設けられている。そして、搬送方向の上流側及び下流側に延びる高さ用水平支持部２２の先端部に高さ用投光部２１ａ及び高さ用受光部２１ｂが設けられており、高さ検出センサである高さ用投光部２１ａ及び高さ用受光部２１ｂを支持する一対の支持部も、一対のセンサ設置用支持部１９にて構成されている。ここで、高さ検出センサである高さ用投光部２１ａ及び高さ用受光部２１ｂが、搬送方向に間隔を隔てて２つ設けられているが、２つの高さ検出センサの双方が、コンベヤ６にて搬送される物品Ｂが高さ検出センサの設置位置を通過するときに、その物品Ｂの高さが設定高さよりも高いか否かを検出できるように構成されている。
【００３３】
前端側荷崩れセンサ１７、後端側荷崩れセンサ１８、及び、高さ検出センサの夫々における投光部１７ａ，１８ａ、２１ａと受光部１７ｂ，１８ｂ、２１ｂとの配置位置については、例えば、搬送方向に対して右側に投光部１７ａ，１８ａ、２１ａを配置し、搬送方向に対して左側に受光部１７ｂ，１８ｂ、２１ｂを配置することができる。これにより、前端側荷崩れセンサ１７、後端側荷崩れセンサ１８、及び、高さ検出センサの夫々における投光部１７ａ，１８ａ、２１ａをコンベヤ本体１６の横幅方向の同じ側に配置し、受光部１７ｂ，１８ｂ、２１ｂもコンベヤ本体１６の横幅方向の同じ側に配置することができる。
【００３４】
以下、自動倉庫４に物品Ｂを搬入する場合の動作を説明する。
運転制御装置は、搬入部５に物品Ｂが搬入されたことを示す搬入情報の入力により、前端側荷崩れセンサ１７の検出情報から、搬入部５に搬入された物品Ｂの搬送方向の前端側の荷崩れの有無を検出する。ここで、搬入情報の入力については、図示は省略するが、搬入部５に搬入作業完了ボタンが設置されており、作業者が、搬入部５に対する物品Ｂの搬入作業が終了してこの搬入作業完了ボタンをＯＮ操作することで、運転制御装置に搬入情報が入力されるように構成されている。
【００３５】
そして、運転制御装置は、搬入部５に搬入された物品Ｂに荷崩れが有れば、ランプやブザーを作動させて荷崩れ異常であることを作業者等に報知しており、作業者が物品Ｂの姿勢等を修正する修正作業を行うことで、荷崩れ異常が解除される。
【００３６】
運転制御装置は、前端側荷崩れセンサ１７の検出情報から搬入部５に搬入された物品Ｂの搬送方向の前端側の荷崩れが無いことを確認すると、コンベヤ６を作動させて、搬入部５から物品授受部２に物品Ｂを搬送させる。このとき、運転制御装置は、高さ検出センサの検出情報から、コンベヤ６にて搬送される物品Ｂの高さが設定高さよりも高いか否かを検出している。そして、設定高さよりも高い場合には、運転制御装置が、ランプやブザーを作動させて高さ異常であることを作業者等に報知するとともに、コンベヤ６の作動を停止させる等の異常処理を行って、作業者により物品の高さを修正する作業を行うようにしている。ここで、搬送方向に間隔を隔てて２つの高さ検出センサが設けられているが、搬送方向の上流側の高さ検出センサのみにより物品Ｂの高さを検出してもよいし、２つの高さ検出センサの双方にて物品Ｂの高さを検出してもよい。
【００３７】
そして、運転制御装置は、コンベヤ６にて搬送される物品Ｂが搬送終端位置Ｈ２に到達したことを示す搬送終了情報の入力により、後端側荷崩れセンサ１８の検出情報から、物品授受部２に搬送された物品Ｂの搬送方向の後端側の荷崩れの有無を検出する。ここで、搬送終了情報の入力については、コンベヤ６にて予め搬送終端位置Ｈ２に物品Ｂが到達したか否かを検出する在荷センサ（例えば投受光式のセンサや搬送終端位置Ｈ２に到達した物品Ｂにより下方側に押圧されてＯＮ操作される接触式のセンサ）が設けられているので、この在荷センサにて搬送終端位置Ｈ２に物品Ｂが到達したことを検出することで、運転制御装置に搬送終了情報が入力される。
【００３８】
そして、運転制御装置は、荷崩れが有ればランプやブザーを作動させて荷崩れ異常であることを作業者等に報知し、作業者が物品Ｂの姿勢等を修正する修正作業を行うようにしている。運転制御装置は、後端側荷崩れセンサ１８にて物品授受部２に搬送された物品Ｂの搬送方向の後端側の荷崩れを検出しない荷崩れ無し情報の入力により、スタッカークレーン３を作動させて、物品授受部２から物品Ｂを受け取り、その受け取った物品Ｂを物品収納棚１における複数の収納部１０の何れかに収納している。
【００３９】
上述の如く、この実施形態では、コンベヤ６の搬送方向を逆転させることにより、物品授受部２から搬入部５に物品Ｂを搬送可能に構成されている。これにより、１つのコンベヤ６を用いて物品Ｂの搬入及び搬出を行うことができ、搬入部５が自動倉庫４からの物品Ｂを搬出する搬出部を兼用するように構成されている。そこで、以下、自動倉庫４から物品Ｂを搬入部５に搬出する場合について説明する。
【００４０】
運転制御装置が、スタッカークレーン３を作動させて、搬出する物品Ｂを収納部１０から取り出して物品授受部２に搬送する。そして、スタッカークレーン３により物品授受部２に物品Ｂが搬送されると、運転制御装置は、コンベヤ６を作動させて、物品授受部２から搬入部５に物品Ｂを搬送する。このとき、物品授受部２では、運転制御装置が、後端側荷崩れセンサ１８の検出情報から、物品授受部２に位置する物品Ｂについて搬送方向の前端側（搬入部５側）の荷崩れの有無を検出することができる。また、搬入部５では、運転制御装置が、前端側荷崩れセンサ１７の検出情報から、搬入部５に位置する物品Ｂについて搬送方向の後端側（物品授受部２側）の荷崩れの有無を検出することができる。さらに、運転制御装置が、高さ検出センサの検出情報から、コンベヤ６にて搬送される物品Ｂの高さが設定高さよりも高いか否かを検出することができる。そして、運転制御装置は、予め設置されている在荷センサにより、コンベヤ６にて搬送される物品Ｂが物品授受部２から搬入部５に到達したことを示す搬送終了情報の入力があると、コンベヤ６の作動を停止する。
【００４１】
〔別実施形態〕
（１）上記実施形態では、搬入情報の入力について、搬入部５に搬入作業完了ボタンのＯＮ操作により行うようにしているが、例えば、コンベヤ６の搬送始端位置Ｈ１である搬入部５に物品Ｂが載置されているか否かを検出する載置センサを設け、その載置センサの検出結果が搬入部５に物品Ｂが載置されていない状態から搬入部５に物品Ｂが載置されている状態に変化したことにより、運転制御装置が搬入情報の入力を受けるように構成することもできる。
【００４２】
（２）上記実施形態では、コンベヤ６の搬送方向を逆転させることで、コンベヤ６を搬入用とするだけでなく、搬出用としても用いて、搬入部５が搬出部を兼用するようにしているが、搬入部５とは別に搬出部を備え、スタッカークレーン３との物品授受部も別に備え、その別に備えた物品授受部と搬出部との間で物品を搬送するコンベヤを設けて実施することも可能である。つまり、搬入部及びその搬入部と物品授受部との間で物品を搬送するコンベヤについては、共通のものを設けるものに限らず、搬入用専用のものと搬出用専用のものとを別々に設けることができる。
【００４３】
（３）上記実施形態では、コンベヤ６の横幅方向の両側の夫々にセンサ設置用支持部１９を設けているが、この一対のセンサ設置用支持部１９の上端部同士を連結する上部連結部を備え、前端側荷崩れセンサ１７及び後端側荷崩れセンサ１８における投光部１７ａ，１８ａ及び受光部１７ｂ，１８ｂを支持する支持体を一対のセンサ設置用支持部１９及び上部連結部を備えたセンサ支持体にて構成することもできる。
【符号の説明】
【００４４】
１        物品収納棚
２        物品授受部
３        物品搬送装置（スタッカークレーン）
４        自動倉庫
５        搬入部
６        コンベヤ
１６      コンベヤ本体
１７      前端側荷崩れセンサ
１７ａ    前端側投光部
１７ｂ    前端側受光部
１８      後端側荷崩れセンサ
１８ａ    後端側投光部
１８ｂ    後端側受光部
１９      センサ設置用支持部
２１ａ，２１ｂ    高さ検出センサ
Ｂ        物品
Ｈ１      搬送始端位置
Ｈ２      搬送終端位置
【図１】
0005534302.tif 000002
【図２】
0005534302.tif 000003
【図３】
0005534302.tif 000004
【図４】
0005534302.tif 000005